(57)【要約】【課題】簡単に部門管理情報の設定を行うことのできる画像読取装置及び画像形成システムを提供すること。【解決手段】予め設定された部門管理情報に基づいて部門管理制御を行う画像形成装置において，原稿の画像を読み取って該画像に含まれた文字を認識し（Ｓ１〜Ｓ４），その認識された文字に基づいて部門管理情報を設定するように構成される（Ｓ５）。そして，その設定された部門管理情報は，ネットワーク上に接続され，予め設定された部門管理情報に基づいて部門管理制御を行う一又は複数の他の画像形成装置にも提供される（Ｓ６）。【選択図】図３
2011049828.tif 000002
【特許請求の範囲】
【請求項１】
予め設定された部門管理情報に基づいて部門管理制御を行う部門管理手段を有する画像形成装置であって，
原稿の画像を読み取る画像読取手段と，前記画像読取手段によって読み取られた画像に含まれた文字を認識する文字認識手段と，前記文字認識手段によって認識された文字に基づいて前記部門管理情報を設定する部門管理情報設定手段とを備えてなることを特徴とする画像形成装置。
【請求項２】
前記部門管理情報設定手段によって設定された前記部門管理情報を，ネットワークを介して接続され，予め設定された部門管理情報に基づいて部門管理制御を行う部門管理手段を有する一又は複数の他の画像形成装置に提供する部門管理情報提供手段を更に備えてなる請求項１に記載の画像形成装置。
【請求項３】
前記部門管理制御の結果に関する情報を前記他の画像形成装置から定期的に取得する部門管理結果情報取得手段を更に備えてなる請求項２に記載の画像形成装置。
【請求項４】
予め設定された部門管理情報に基づいて部門管理制御を行う部門管理手段を有する複数の画像形成装置が接続されてなる画像形成システムであって，
前記画像形成装置のいずれかである管理用画像形成装置が，原稿の画像を読み取る画像読取手段と，前記画像読取手段によって読み取られた画像に含まれた文字を認識する文字認識手段と，前記文字認識手段によって認識された文字に基づいて前記部門管理情報を設定する部門管理情報設定手段と，前記部門管理情報設定手段によって設定された前記部門管理情報を他の前記画像形成装置各々に提供する部門管理情報提供手段とを備えてなることを特徴とする画像形成システム。
【請求項５】
前記管理用画像形成装置が，前記部門管理制御の結果に関する情報を前記画像形成装置各々から定期的に取得する部門管理結果情報取得手段を更に備えてなる請求項４に記載の画像形成システム。
【請求項６】
前記管理用画像形成装置が，前記部門管理情報を他の前記画像形成装置に送信する部門管理情報送信手段を更に備えてなり，
前記画像形成装置各々の前記部門管理手段が，前記管理用画像形成装置又は前記他の画像形成装置のいずれかが有する前記部門管理情報に基づいて部門管理制御を行うものである請求項４又は５のいずれかに記載の画像形成システム。
【請求項７】
前記管理用画像形成装置が，前記部門管理情報を少なくとも二以上の分割情報に分割する情報分割手段と，一部の前記分割情報を他の前記画像形成装置に送信する部門管理情報送信手段と，前記管理用画像形成装置及び前記他の画像形成装置各々が有する前記分割情報に基づいて前記部門管理情報を復元する情報復元手段とを更に備えてなり，
前記情報分割手段が，前記情報復元手段によってのみ復元可能な態様で前記部門管理情報を分割するものであって，
前記部門管理情報提供手段が，前記情報復元手段によって復元された前記部門管理情報を他の前記画像形成装置各々に提供してなる請求項４又は５のいずれかに記載の画像形成システム。
【発明の詳細な説明】
【技術分野】
【０００１】
本発明は，予め設定された部門管理情報に基づいて部門管理制御を行う部門管理機能を有する画像形成装置及び画像形成システムに関し，特に，その部門管理情報の設定を行うための技術に関するものである。
【背景技術】
【０００２】
従来から，複写機，プリンタ装置，ファクシミリ装置，これらの複合機（ＭＦＰ）など画像形成装置には，予め設定された部門管理情報に基づいて部門管理制御を行う部門管理機能を有するものがある（例えば，特許文献１参照）。例えば，部門管理制御では，部門毎や個人単位で利用制限やジョブ履歴（印刷枚数など）などが管理される。
ここで，ユーザは，部門管理制御を行う際に用いられる部門管理情報を予め設定しておく必要がある。このユーザによる部門管理情報の設定は，一般に画像形成装置に接続されたホストコンピュータ等で行われる。例えば特許文献１では，複数の画像形成装置及びホストコンピュータがネットワーク接続された画像形成システムにおいて，そのホストコンピュータから複数の画像形成装置で用いられる部門管理情報を一括して設定することができる構成が提案されている。これにより，画像形成装置ごとに部門管理情報を設定する手間を省略することができる。
【先行技術文献】
【特許文献】
【０００３】
【特許文献１】特許第４１８４１５１号公報
【発明の概要】
【発明が解決しようとする課題】
【０００４】
しかしながら，前記特許文献１に係る画像形成システムでは，部門管理情報を設定するために必ずホストコンピュータを用意する必要があり，画像形成システムの構成の簡素化に好ましくない。また，ホストコンピュータを交換する度に，該ホストコンピュータが行う部門管理情報の設定のためのソフトウェアなどを新たなホストコンピュータにも再インストールするなどの手間も生じる。
これに対し，画像形成装置で部門管理情報の設定を行い得る構成を採用することで，ホストコンピュータを省略することも考えられる。ところが，一般に画像形成装置に設けられる操作部は，タッチパネルや少数のキーからなり，ホストコンピュータが有するキーボードやマウスなどの操作部に比べて簡素なものである。また，表示画面についても画像形成装置では小型の表示パネルが用いられる。そのため，部門管理情報として例えば部門名や人名などを漢字で入力するなどの設定作業に非常に手間がかかるという問題が生じる。
従って，本発明は上記事情に鑑みてなされたものであり，その目的とするところは，簡単に部門管理情報の設定を行うことのできる画像形成装置及び画像形成システムを提供することにある。
【課題を解決するための手段】
【０００５】
上記目的を達成するために本発明は，予め設定された部門管理情報に基づいて部門管理制御を行う部門管理手段を有する画像形成装置に適用されるものであって，原稿の画像を読み取る画像読取手段と，前記画像読取手段によって読み取られた画像に含まれた文字を認識する文字認識手段と，前記文字認識手段によって認識された文字に基づいて前記部門管理情報を設定する部門管理情報設定手段とを備えてなることを特徴とする画像形成装置として構成される。
これにより，前記画像形成装置を使用するユーザは，原稿に部門管理情報を記載し，その原稿を前記画像形成装置に読み取らせることで，簡単に部門管理情報の設定を行うことができる。
また，前記部門管理情報設定手段によって設定された前記部門管理情報を，ネットワークを介して接続され，予め設定された部門管理情報に基づいて部門管理制御を行う部門管理手段を有する一又は複数の他の画像形成装置に提供する部門管理情報提供手段を更に備えてなる構成が望ましい。これにより，前記ネットワーク上に接続された画像形成装置各々で用いられる部門管理情報を簡単に一括して設定することができる。従って，前記ネットワーク上に前記部門管理情報を設定・管理するためのホストコンピュータを設ける必要もない。
なお，本発明に係る前記画像形成装置は，前記部門管理制御の結果に関する情報を前記他の画像形成装置から定期的に取得する部門管理結果情報取得手段を備えてなることが望ましい。即ち，前記ネットワーク上に接続された複数の画像形成装置を統括して管理する管理サーバとして用いることも考えられる。
【０００６】
ところで，本発明は，予め設定された部門管理情報に基づいて部門管理制御を行う部門管理手段を有する複数の画像形成装置が接続されてなる画像形成システムとして捉えることもできる。そして，当該画像形成システムは，前記画像形成装置のいずれかである管理用画像形成装置が，原稿の画像を読み取る画像読取手段と，前記画像読取手段によって読み取られた画像に含まれた文字を認識する文字認識手段と，前記文字認識手段によって認識された文字に基づいて前記部門管理情報を設定する部門管理情報設定手段と，前記部門管理情報設定手段によって設定された前記部門管理情報を他の前記画像形成装置各々に提供する部門管理情報提供手段とを備えてなることを特徴とする画像形成システムとして構成される。
当該画像形成システムでは，ユーザが原稿に部門管理情報を記載し，その原稿を前記画像形成装置に読み取らせるだけで，前記ネットワーク上に接続された画像形成装置各々で用いられる部門管理情報を簡単に一括して設定することができる。従って，前記画像形成システムに前記部門管理情報を設定・管理するためのホストコンピュータを設ける必要もない。
この場合も，前記管理用画像形成装置が，前記部門管理制御の結果に関する情報を前記画像形成装置各々から定期的に取得する部門管理結果情報取得手段を更に備えれば，前記ネットワーク上に接続された複数の画像形成装置を統括して管理する管理サーバとして用いることができる。
【０００７】
更に，前記管理用画像形成装置が，前記部門管理情報を他の前記画像形成装置に送信する部門管理情報送信手段を備えてなり，前記画像形成装置各々の前記部門管理手段が，前記管理用画像形成装置又は前記他の画像形成装置のいずれかが有する前記部門管理情報に基づいて部門管理制御を行うものであることが考えられる。
これにより，前記他の画像形成装置が前記管理用画像形成装置のバックアップとしての機能を果たすため，前記管理用画像形成装置が故障した場合であっても，前記画像形成装置各々が，前記他の画像形成装置が有する前記部門管理情報に基づいて部門管理制御を行うことが可能となる。
【０００８】
また，前記管理用画像形成装置が，前記部門管理情報を少なくとも二以上の分割情報に分割する情報分割手段と，一部の前記分割情報を他の前記画像形成装置に送信する部門管理情報送信手段と，前記管理用画像形成装置及び前記他の画像形成装置各々が有する前記分割情報に基づいて前記部門管理情報を復元する情報復元手段とを更に備えてなる構成が考えられる。そして，前記情報分割手段が，前記情報復元手段によってのみ復元可能な態様で前記部門管理情報を分割するものであって，前記部門管理情報提供手段が，前記情報復元手段によって復元された前記部門管理情報を他の前記画像形成装置各々に提供してなることが考えられる。
これにより，複数の前記分割情報を前記管理用画像形成装置及び前記他の画像形成装置各々から取得して復元しなければ，前記部門管理情報を参照することができないため，該管理用画像形成装置以外からの前記部門管理情報の参照を防止することができ，セキュリティ性が高まる。
【発明の効果】
【０００９】
本発明によれば，前記画像形成装置を使用するユーザは，原稿に部門管理情報を記載し，その原稿を前記画像形成装置に読み取らせることで，簡単に部門管理情報の設定を行うことができる。特に，前記部門管理情報設定手段によって設定された前記部門管理情報を，ネットワークを介して接続された一又は複数の他の画像形成装置に提供する部門管理情報提供手段を更に備えれば，前記ネットワーク上に接続された画像形成装置各々で用いられる部門管理情報を簡単に一括して設定することができる。そのため，前記ネットワーク上に前記部門管理情報を設定・管理するためのホストコンピュータを設ける必要もない。
【図面の簡単な説明】
【００１０】
【図１】本発明の実施の形態に係る画像形成システムの概略構成を示すブロック図。
【図２】本発明の実施の形態に係る画像形成システムで用いられる部門管理情報を記載するための原稿の一例を示す図。
【図３】本発明の実施の形態に係る画像形成システムで実行される部門管理情報設定処理の一例を説明するためのフローチャート。
【発明を実施するための形態】
【００１１】
以下添付図面を参照しながら，本発明の実施の形態について説明し，本発明の理解に供する。尚，以下の実施の形態は，本発明を具体化した一例であって，本発明の技術的範囲を限定する性格のものではない。
図１に示すように，本発明の実施の形態に係る画像形成システムＺは，ＬＡＮ等のネットワーク１０を介して通信可能に接続された複合機Ｘ及び複数の画像形成装置Ｙを備えて構成されている。
なお，前記複合機Ｘは，本発明に係る画像形成装置の一例に過ぎず，原稿から画像を読み取るスキャナ機能を有するものであれば，複写機やファクシミリ装置などであってもよい。また，画像形成装置Ｙ各々も，スキャナ機能を有する複写機やファクシミリ装置，複合機（ＭＦＰ），その他プリンタ装置などである。
【００１２】
図１に示すように，前記複合機Ｘは，制御部１，操作表示部２，画像読取部３，データ通信部４，記憶部５，及び画像形成部６などを備えて概略構成されている。
前記操作表示部２は，各種の情報を表示する液晶ディスプレイ，該液晶ディスプレイ上に配設されたタッチパネル等を備えて構成されており，ユーザ操作に応じて前記制御部１に各種の指令などを入力する。
前記画像読取部３は，ＣＣＤ（Charge Coupled Device）やＣＩＳ（Contact Image Sensor）等のイメージセンサを備えており，不図示の原稿台にセットされた原稿或いは不図示の自動原稿搬送装置（ＡＤＦ）によって搬送された原稿を走査することによって，該原稿の画像を読み取って電子データ化する画像読取手段の一例である。
前記記憶部５は，前記画像読取部３によって読み取られた画像のデータや後述する部門管理情報などの各種の電子データを記憶するハードディスク等の記憶手段である。
前記データ通信部４は，ＩＥＥＥ８０２．３規格やＩＥＥＥ８０２．１１ｂ規格などに準拠した有線又は無線による通信媒体，通信機器などからなり，前記画像形成装置Ｙ各々との間で画像データや後述する部門管理情報などの各種の電子データの送受信を可能にするものである。
前記画像形成部６は，感光体ドラムやＬＳＵ，現像装置などを有しており，入力された画像データに基づいて用紙に画像を形成する画像形成処理を実行する。
【００１３】
また，前記制御部１は，ＣＰＵやＲＯＭ，ＲＡＭなどの制御機器を備えてなり，前記ＲＯＭに格納された所定の制御プログラムに従った各種の処理を前記ＣＰＵによって実行することにより当該複合機Ｘを統括的に制御する。
具体的に，前記制御部１は，前記ＲＯＭに格納された文字認識プログラムに従って，前記画像読取部３によって読み取られた画像に含まれた文字を認識する文字認識処理を実行することにより文字認識機能（ＯＣＲ機能）を実現する。ここに，係る文字認識処理を実行するときの前記制御部１が文字認識手段に相当する。なお，一般にコンピュータ等で用いられる文字認識機能（ＯＣＲ機能）については周知の技術であるため，ここではその説明を省略する。
【００１４】
そして，前記画像形成システムＺでは，前記複合機Ｘ及び前記画像形成装置Ｙ各々が，予め設定された部門管理情報に基づいて部門管理制御を行う部門管理機能を有している。なお，前記複合機Ｘでは，前記制御部１によって前記部門管理機能を実現するための処理が実行され，該制御部１が部門管理手段に相当する。また，前記画像形成装置Ｙ各々においても，該画像形成装置Ｙが有する不図示の制御部によって前記部門管理制御が実行され，該制御部が画像形成装置Ｙ各々の部門管理手段に相当する。
ここで，前記部門管理機能とは，前記複合機Ｘ及び前記画像形成装置Ｙ各々における動作を部門毎に管理するものであって，前記部門管理情報には，部署名，部門コード，管理者，管理者メール，コピー上限枚数，プリンタ上限枚数，ＦＡＸ上限枚数などが含まれることが考えられる。これにより，前記画像形成システムＺでは，前記複合機Ｘ及び前記画像形成装置Ｙ各々において，前記部門管理情報で設定された各部署ごとに，コピーやプリンタ，ＦＡＸなどの利用をその部署の印刷枚数によって制限することが可能である。また，各部署に属するユーザによって実行されたジョブ履歴（印刷枚数）の管理などを行うことも可能である。
本発明の実施の形態に係る前記画像形成システムＺ及び前記複合機Ｘは，前記複合機Ｘ及び前記画像形成装置Ｙ各々で用いられる前記部門管理情報を簡単に設定するための構成に特徴を有している。
【００１５】
以下，図３のフローチャートを参照しつつ，前記画像形成システムＺにおいて前記複合機Ｘの前記制御部１によって実行される部門管理情報設定処理の手順の一例について説明する。なお，図中のＳ１，Ｓ２，…は処理手順（ステップ）の番号を表している。
（ステップＳ１〜Ｓ２）
まず，ステップＳ１では，前記制御部１は，ユーザによる前記操作表示部２への前記部門管理情報の設定開始の要求操作を待ち受けている（Ｓ１のＮｏ側）。ここで，前記部門管理情報の設定開始の要求操作がなされたと判断されると（Ｓ１のＹｅｓ側），処理はステップＳ２に移行する。
次に，ステップＳ２では，前記制御部１は，ユーザによる前記操作表示部２への画像読取開始の要求操作を待ち受けている（Ｓ２のＮｏ側）。具体的には，前記操作表示２に設けられた不図示のスタートボタンの操作を待ち受けている。ここで，前記画像読取開始の要求操作がなされたと判断されると（Ｓ２のＹｅｓ側），処理はステップＳ３に移行する。
【００１６】
このとき，ユーザは，例えば定型の部門管理情報入力用紙に部門管理情報として設定したい情報を記載し，その部門管理情報入力用紙を原稿として前記複合機Ｘの画像読取部３にセットして前記画像読取開始の要求操作を行う。
ここに，図２は，前記部門管理情報入力用紙の一例を示す図である。図２に示すように，前記部門管理情報入力用紙には，部署名，部門コード，管理者，管理者メール，部門コピー上限枚数，部門プリンタ上限枚数，部門ＦＡＸ上限枚数の各項目が記載されている。そして，ユーザは，前記各項目を記載するための領域として予め設定された情報記入欄に各々の情報を手書きにより記載する。
【００１７】
（ステップＳ３〜Ｓ４）
そして，ステップＳ３では，前記制御部１は，前記画像読取部３を制御することにより，該画像読取部３による原稿の画像の読み取りが行われる。ここでは，前記画像読取部３によって前記部門管理情報が記載された原稿（部門管理情報入力用紙）の画像が読み取られ，前記記憶部５に記憶されることになる。
その後，ステップＳ４では，前記制御部１は，前記文字認識機能により，前記ステップＳ３で読み取られた原稿の画像に含まれた文字を認識する文字認識処理を実行する。このとき，原稿の画像の全体に含まれた文字を認識しても良いが，処理時間を短縮するためには該原稿の画像のうち予め設定された一部の領域（情報記入欄）に含まれた文字だけを認識してもよい。
【００１８】
（ステップＳ５〜Ｓ６）
続いて，ステップＳ５では，前記制御部１は，前記ステップＳ４で認識された文字に基づいて前記部門管理情報を設定する。ここに，かかる設定処理を実行するときの前記制御部１が部門管理情報設定手段に相当する。
具体的には，前記原稿の画像における位置と該位置に記載されるべき部門管理情報の内容とが予め設定されており，前記制御部１が，前記原稿の画像の各位置に記載された文字を該位置に対応する部門管理情報として設定することが考えられる。
また，前記画像に含まれた複数の情報記入欄（囲繞線）の存在を検知することにより，該情報記入欄の順番に応じて前記部門管理情報を設定することも考えられる。例えば，上から二つ目の情報記入欄の記載事項を「部門コード」として設定することが考えられる。
そして，ステップＳ６において，前記制御部１は，前記ステップＳ５で設定した前記部門管理情報を，前記複合機Ｘとは異なる他の前記画像形成装置Ｙ各々に送信する。このように，前記部門管理情報を他の前記画像形成装置Ｙ各々に提供するときの前記制御部１が部門管理情報提供手段に相当する。これにより，前記画像形成システムＺの前記画像形成装置Ｙ各々では，前記複合機Ｘから提供された前記部門管理情報に基づいて部門管理制御を実行することが可能となる。
【００１９】
以上説明したように，前記画像形成システムＺでは，前記複合機Ｘによって前記部門管理情報設定処理が実行されることにより，ユーザは，前記部門管理情報入力用紙（原稿）に部門管理情報を記載し，その部門管理情報入力用紙を前記複合機Ｘに読み取らせることで，簡単に部門管理情報の設定を行うことができる。そのため，前記部門管理情報を設定するための知識もほとんど必要ない。
さらに，設定された前記部門管理情報は，前記ネットワーク１０を介して接続された一又は複数の前記画像形成装置Ｙに提供されるため，前記ネットワーク１０上に接続された画像形成装置Ｙ各々で用いられる部門管理情報を簡単に一括して設定することができる。そして，前記部門管理情報設定処理は，前記複合機Ｘで実行されるため，前記ネットワーク１０上に前記部門管理情報を設定・管理するためのホストコンピュータを別に設ける必要もない。
【００２０】
なお，本実施の形態では，前記制御部１が前記画像形成装置Ｙ各々に送信することによって前記部門管理情報を提供する場合を例に挙げて説明したが，これに限らない。例えば，前記画像形成装置Ｙ各々による前記複合機Ｘの前記部門管理情報へのアクセス要求に応じて，その都度，前記部門管理情報の必要な情報だけを提供すること（参照させること）も考えられる。この場合には，前記部門管理情報が前記画像形成装置Ｙ各々に存在しないためセキュリティ性に優れる。
さらに，前記画像形成システムＺにおいて，前記複合機Ｘの故障等により前記部門管理情報が喪失すると，該部門管理情報の再設定に手間がかかる。そこで，前記制御部１は，前記複合機Ｘで設定された前記部門管理情報を，前記画像形成装置Ｙのいずれかに送信して保持させることが考えられる。これにより，前記複合機Ｘとは異なる他の前記画像形成装置Ｙを前記複合機Ｘのバックアップ機として利用することが可能となる。ここに，係る送信処理を実行するときの前記制御部１が，部門管理情報送信手段に相当する。
そして，前記画像形成装置Ｙ各々は，前記複合機Ｘ又は前記バックアップ機である前記画像形成装置Ｙのいずれかが有する前記部門管理情報に基づいて部門管理制御を行うことができるように構成される。これにより，前記複合機Ｘに障害が生じた場合であっても，前記画像形成装置Ｙ各々における部門管理制御を継続して行うことができる。
【００２１】
ところで，前記複合機Ｘは，前記画像形成システムＺにおいて前記部門管理情報に基づいて行われる前記部門管理制御の結果に関する情報を前記画像形成装置Ｙ各々から定期的に取得することが望ましい。前記部門管理制御の結果に関する情報としては，例えば部門毎の利用履歴や印刷枚数などが含まれる。なお，前記部門管理制御の結果に関する情報の取得方法としては，前記制御部１が，前記画像形成装置Ｙ各々から前記複合機Ｘに向けて送信された情報を受信することや，前記複合機Ｘが前記画像形成装置Ｙ各々にアクセスすることによって取得することが考えられる。ここに，係る処理を実行するときの前記制御部１が部門管理結果情報取得手段に相当する。
なお，前記画像形成装置Ｙ各々が，前記バックアップ機である前記画像形成装置Ｙが有する前記部門管理情報に基づいて部門管理制御を行う場合には，その制御の結果に関する情報も前記バックアップ機である前記画像形成装置Ｙによって取得されるよう構成すればよい。
【００２２】
また，前記複合機Ｘにおいて，前記部門管理情報を保持する構成では，外部から前記部門管理情報を参照されるおそれがある。そこで，前記制御部１が，前記部門管理情報を少なくとも二以上の分割情報に分割する情報分割機能，一部の前記分割情報を他の前記画像形成装置Ｙに送信する部門管理情報送信機能，前記複合機Ｘ及び前記画像形成装置Ｙ各々が有する前記分割情報に基づいて前記部門管理情報を復元する情報復元機能を有することが考えられる。そして，前記複合機Ｘが，前記画像形成装置Ｙ各々に前記部門管理情報を提供する際には，前記制御部１が前記情報復元機能によって復元した前記部門管理情報を他の前記画像形成装置Ｙ各々に提供する。ここに，前記情報分割機能，前記部門管理情報送信機能，前記情報復元機能を具現するための処理を実行するときの前記制御部１が，情報分割手段，部門管理情報送信手段，情報復元手段に相当する。
このような構成では，前記画像形成システムＺにおける前記部門管理情報の再現が困難な状況となるため，前記複合機Ｘが単独で前記部門管理情報を保持する構成に比べて該部門管理情報のセキュリティ性を高めることができる。
特に，前記情報分割機能では，前記部門管理情報を分割した後の分割情報を参照するだけでは，該部門管理情報を再現することができず，前記情報復元機能によって初めて復元することができるように暗号化処理などを施すことが望ましい。これにより，前記分割情報各々を集めただけでは，前記部門管理情報を再現することができずセキュリティ性が高まる。
【符号の説明】
【００２３】
１…制御部
２…操作表示部
３…画像読取部
４…データ通信部
５…記憶部
６…画像形成部
Ｓ１，Ｓ２，，，…処理手順（ステップ）番号
Ｘ…複合機（本発明に係る画像形成装置の一例）
Ｙ…画像形成装置
Ｚ…画像形成システム
【図１】
2011049828.tif 000003
【図２】
2011049828.tif 000004
【図３】
2011049828.tif 000005